(57)【要約】【課題】スキャナ装置において、原稿カバーの裏面の見栄えが良くなるようにその上面に位置決め部材を配置し、製造コストを低くする。【解決手段】スキャナ装置の原稿カバー１１の上面には、ガイド（位置決め部材）３０が配置されている。ガイド３０は、下方に突設された嵌入爪３０ｃと下面に形成された板ばね部３０ｄを有している。原稿カバー１１には長穴形状の貫通溝１１ｄが形成されている。ガイド３０は、嵌入爪３０ｃが貫通溝１１ｄに係合して装着された状態で、板ばね部３０ｄが原稿カバー１１に当接し上方に撓むことにより上方に付勢されており、それにより、原稿カバー１１上でスライドしにくいように装着されている。原稿カバー１１の下面には、貫通孔等が設けられておらず、貫通溝１１ｄを覆うようにカバー突起１１ｅが形成されているので、光漏れが防止され、原稿カバー１１の下面の見栄えが良く、カバー部材等を別途配置する必要がない。【選択図】図３
2008160714.tif 000002
【特許請求の範囲】
【請求項１】
スキャナ筐体、前記スキャナ筐体の上面に配設された略矩形形状の原稿台、前記原稿台を覆うようにスキャナ筐体に開閉自在に配設された原稿カバー、及び前記原稿カバーの上面に載置された原稿を順次搬送するオートドキュメントフィーダを有し、前記オートドキュメントフィーダにより搬送された原稿又は前記原稿台に載置された原稿を画像データとして読み取る機能を有するスキャナ部と、
前記スキャナ部の下方に配置され、前記スキャナ部により読み取られた原稿の画像データ又は外部装置から入力された画像データに基づいて記録紙に画像を形成する機能を有する画像形成部とを備え、
前記原稿カバーは、
その原稿カバーの端部近傍部位に形成された貫通溝と、
前記貫通溝に係合される嵌入爪を有し、その原稿カバーの上面に載置される原稿のサイズに合わせて前記貫通溝に沿ってスライド可能に、前記嵌入爪が前記貫通溝に係合された状態で前記原稿カバー上に配置され、載置された原稿の端部を位置決め可能な位置決め部材とを有する画像形成装置において、
前記原稿カバーの下面のうち、前記貫通溝近傍部位には、前記貫通溝を下方に露出しないように覆うように形成されたカバー突起が前記原稿カバーに一体に形成されており、
前記位置決め部材の下面側には、上方に可撓性を有するように斜め下方に延設された板ばね部を一体に有しており、前記位置決め部材が前記原稿カバーに配置された状態で前記板ばね部の可端部が前記原稿カバーの上面に当接して前記板ばね部が上方に撓むことにより、前記位置決め部材と前記原稿カバーとの間の摩擦力が大きくなるように構成されており、
それにより、前記原稿カバーの下面の見栄えが良く、且つ、部品点数が少なく製造コストが低減されているものである。
【請求項２】
スキャナ筐体と、
前記スキャナ筐体上面に配設された略矩形形状の原稿台と、
前記スキャナ筐体上面を覆うようにスキャナ筐体に開閉自在に配設され、上部に貫通溝を有する原稿カバーと、
前記貫通溝に係合される嵌入爪を有しており、その原稿カバーの上面に載置される原稿のサイズに合わせて前記貫通溝に沿ってスライド可能に、前記嵌入爪が前記貫通溝に係合された状態で前記原稿カバー上に配置され、載置された原稿の端部を位置決め可能な位置決め部材と、
前記原稿カバー上に載置された原稿を順次搬送するオートドキュメントフィーダとを備え、
前記オートドキュメントフィーダから搬送された原稿又は前記原稿台に載置された原稿を画像データとして読み取る機能を有するスキャナ装置であって、
前記位置決め部材の下面側には、前記位置決め部材が前記原稿カバーに配置された状態で前記原稿カバーの上面に当接して変形して前記位置決め部材を上方に付勢する付勢部が、その位置決め部材に一体に形成されており、
前記位置決め部材は、前記付勢部により付勢されることにより生じる前記原稿カバーとの間の摩擦力により、前記原稿カバー上でスライドしにくくなるように構成されていることを特徴とするスキャナ装置。
【請求項３】
前記原稿カバーの下面のうち、前記貫通溝近傍部位には、前記貫通溝を下方に露出しないように覆うように形成されたカバー突起が前記原稿カバーに一体に形成されていることを特徴とする請求項２に記載のスキャナ装置。
【発明の詳細な説明】
【技術分野】
【０００１】
本発明は、複数枚の原稿を順次搬送しながら画像データとして読み取る機能を有するスキャナ装置、及びそれを用いた画像形成装置に関する。
【背景技術】
【０００２】
従来より、原稿を走査して画像データとして読み取る機能を有するスキャナ装置としては、原稿台上に原稿を押さえつけるために設けられた原稿カバー上に複数枚の原稿を載置し、その原稿をオートドキュメントフィーダ（以下、ＡＤＦと称する）により順次搬送させることにより、複数枚の原稿を容易に読み取り可能にしたものがある。このようなスキャナ装置では、原稿カバー上に、載置される原稿のサイズに応じてスライド可能な位置決め部材（ガイド）を設け、原稿の側端部を位置決めすることができるように構成されている。
【０００３】
図６は、上記のような従来のスキャナ装置の、位置決め部材が設けられている原稿カバーの一例を示す。図に示すように、原稿カバー８１１には、貫通孔８１１ｃと、長穴形状の貫通溝８１１ｄとが形成されている。位置決め部材８３０は、その略中央部に下方に突設された付勢軸８３０ｂが貫通孔８１１ｃを貫通するように、また、貫通溝８１１ｄに位置決め部材８３０の嵌入爪８３０ｃが係合するようにして、貫通溝８１１ｄの長手方向に沿ってスライド可能に、原稿カバー８１１に取り付けられている。図に示すように、付勢軸８３０ｂには、ばね及びねじ等で構成される付勢部材８５０が原稿カバー８１１の下面側から取り付けられており、位置決め部材８３０が、付勢部材８５０のばねにより上方に付勢されるように構成されている。位置決め部材８３０は、このように付勢されて原稿カバー８１１との間で摩擦力が発生することにより、原稿カバー８１１上で勝手にスライドするようなことがなく、原稿を確実に位置決めすることができるように構成されている。また、図に示すように、原稿カバー８１１の下面には、付勢部材８５０と貫通溝８１１ｄ等を覆うように、カバー部材８６０が装着される。これにより、原稿カバー８１１が開状態にされて原稿カバー８１１の下面が露出したとき、細かな部材や貫通孔８１１ｃ、及び貫通溝８１１ｄ等がカバー部材８６０に隠れ、貫通孔８１１ｃや貫通溝８１１ｄからの光漏れを防止すると共に、原稿カバー８１１の下面の見栄えが良くなるように構成されている。
【０００４】
しかしながら、上述のような従来のスキャナ装置においては、原稿カバー８１１の上面に位置決め部材８３０を配置し、且つ、原稿カバー８１１の下面の見栄えを良くするために、付勢部材８５０やカバー部材８６０等を装着する必要があり、部品点数が多くなるという問題がある。部品点数が多くなると、部品コストが高くなり、また、組み立て作業が複雑になるため、スキャナ装置の製造コストが高くなる。
【０００５】
なお、特許文献１には、紙幅寄せ装置において、位置決め部材を移動可能に支持するためのカバー部材を用紙載置台の裏面に形成された爪により固定する構造が示されている。特許文献２には、位置決め部材に形成されている折り曲げ部により用紙載置板を抱え込むようにして、位置決め部材が摺動可能に固定されるようにした記録装置の構造が示されている。また、特許文献３には、用紙トレイの長孔に位置決め部材の下部の爪を勘合させて位置決め部材を支持させるようにした給紙装置が示されている。特許文献４には、左右の位置決め部材が連動して動くように構成された用紙ガイド機構において、用紙載置面の裏面側から、ピニオンギアを保持するためのホルダを載置面の裏面の爪部に勘合させて、ピニオンギアを固定する構造が示されている。しかしながら、これら特許文献１乃至特許文献４には、上記問題点に対する有効な解決策、すなわち、例えば、原稿カバーの上面に位置決め部材を配置しつつ原稿カバーの裏面の見栄えが悪くならないようにした場合でも製造コストの増加を防止可能な構造等は示されていない。
【特許文献１】特許３５８６７５６号公報
【特許文献２】特開２００４‐３３１３２２号公報
【特許文献３】特許２９０６９９５号公報
【特許文献４】特開２０００‐２２９７３３号公報
【発明の開示】
【発明が解決しようとする課題】
【０００６】
本発明は、上記問題点を鑑みてなされたものであり、原稿カバーの上面に位置決め部材が配置されていても、原稿カバーの裏面の見栄えが良く、部品点数が少なく、製造コストが低いスキャナ装置及びそれを用いた画像形成装置を提供することを目的とする。
【課題を解決するための手段】
【０００７】
上記目的を達成するため、請求項１の発明は、スキャナ筐体、前記スキャナ筐体の上面に配設された略矩形形状の原稿台、前記原稿台を覆うようにスキャナ筐体に開閉自在に配設された原稿カバー、及び前記原稿カバーの上面に載置された原稿を順次搬送するオートドキュメントフィーダを有し、前記オートドキュメントフィーダにより搬送された原稿又は前記原稿台に載置された原稿を画像データとして読み取る機能を有するスキャナ部と、前記スキャナ部の下方に配置され、前記スキャナ部により読み取られた原稿の画像データ又は外部装置から入力された画像データに基づいて記録紙に画像を形成する機能を有する画像形成部とを備え、前記原稿カバーは、その原稿カバーの端部近傍部位に形成された貫通溝と、前記貫通溝に係合される嵌入爪を有し、その原稿カバーの上面に載置される原稿のサイズに合わせて前記貫通溝に沿ってスライド可能に、前記嵌入爪が前記貫通溝に係合された状態で前記原稿カバー上に配置され、載置された原稿の端部を位置決め可能な位置決め部材とを有する画像形成装置において、前記原稿カバーの下面のうち、前記貫通溝近傍部位には、前記貫通溝を下方に露出しないように覆うように形成されたカバー突起が前記原稿カバーに一体に形成されており、前記位置決め部材の下面側には、上方に可撓性を有するように斜め下方に延設された板ばね部を一体に有しており、前記位置決め部材が前記原稿カバーに配置された状態で前記板ばね部の可端部が前記原稿カバーの上面に当接して前記板ばね部が上方に撓むことにより、前記位置決め部材と前記原稿カバーとの間の摩擦力が大きくなるように構成されており、それにより、前記原稿カバーの下面の見栄えが良く、且つ、部品点数が少なく製造コストが低減されているものである。
【０００８】
請求項２の発明は、スキャナ筐体と、前記スキャナ筐体上面に配設された略矩形形状の原稿台と、前記スキャナ筐体上面を覆うようにスキャナ筐体に開閉自在に配設され、上部に貫通溝を有する原稿カバーと、前記貫通溝に係合される嵌入爪を有しており、その原稿カバーの上面に載置される原稿のサイズに合わせて前記貫通溝に沿ってスライド可能に、前記嵌入爪が前記貫通溝に係合された状態で前記原稿カバー上に配置され、載置された原稿の端部を位置決め可能な位置決め部材と、前記原稿カバー上に載置された原稿を順次搬送するオートドキュメントフィーダとを備え、前記オートドキュメントフィーダから搬送された原稿又は前記原稿台に載置された原稿を画像データとして読み取る機能を有するスキャナ装置であって、前記位置決め部材の下面側には、前記位置決め部材が前記原稿カバーに配置された状態で前記原稿カバーの上面に当接して変形して前記位置決め部材を上方に付勢する付勢部が、その位置決め部材に一体に形成されており、前記位置決め部材は、前記付勢部により付勢されることにより生じる前記原稿カバーとの間の摩擦力により、前記原稿カバー上でスライドしにくくなるように構成されているものである。
【０００９】
請求項３の発明は、請求項２の発明において、前記原稿カバーの下面のうち、前記貫通溝近傍部位には、前記貫通溝を下方に露出しないように覆うように形成されたカバー突起が前記原稿カバーに一体に形成されているものである。
【発明の効果】
【００１０】
請求項１の発明によれば、位置決め部材の下面側に板ばね部が一体に形成されており、位置決め部材が原稿カバーに配置された状態で、板ばね部の下端部が原稿カバーの上面に当接し、位置決め部材と原稿カバーとの間の摩擦力が大きくなるように構成されているので、位置決め部材をスライドしにくくするために、ばねやねじ等の付勢部材を別途用いる必要がない。また、そのような付勢部材を配置するための貫通孔等を原稿カバーに設ける必要がなく、さらに、原稿カバーの下面に、貫通溝を下方に露出しないように覆うカバー突起が一体に形成されているので、カバー部材等を別途設けなくても、原稿カバー上面側と下面側との間の光漏れを防止できると共に、原稿カバー下面の見栄えを良くすることができる。従って、部品点数を少なく、部品コストを低くし、容易に組み立て可能にすることができ、画像形成装置の製造コストを低減することができる。
【００１１】
請求項２の発明によれば、位置決め部材の下面側に付勢部が一体に形成されており、位置決め部材が、その付勢部により位置決め部材が付勢された状態で、原稿カバーにスライドしにくくなるように配置されるので、位置決め部材をスライドしにくくするためにばね等の付勢部材を別途設ける必要がなく、部品点数を少なくすることができる。また、位置決め部材と原稿カバーとの間に付勢部が位置し、位置決め部材を付勢するための部材を配置するための貫通孔等を原稿カバーに設ける必要がないので、カバー部材等を別途設けなくても、原稿カバー上面側と下面側との間の光漏れを防止できると共に、原稿カバー下面の見栄えを良くすることができ、部品点数を少なくすることができる。従って、部品コストを低くし、容易に組み立て可能にすることができ、スキャナ装置の製造コストを低減することができる。
【００１２】
請求項３の発明によれば、原稿カバーの下面に、貫通溝を下方に露出しないように覆うカバー突起が一体に形成されているので、部品点数を増加させることなく、原稿カバー下面側の見栄えをさらに良くすることができる。
【発明を実施するための最良の形態】
【００１３】
以下、本発明の一実施形態について図面を参照しつつ説明する。図１は、本実施形態に係る画像形成装置の一例を示す。この画像形成装置１は、いわゆるオールインワン型のものであり、樹脂製のプリンタ筐体１０の内部に収納された画像形成部２と、そのプリンタ筐体１０の上方に、その後端部がプリンタ筐体１０に水平に回動可能に軸支された状態で配置され、原稿（図示せず）を画像データとして読み取る略直方体形状のスキャナ部３（スキャナ装置）と、プリンタ筐体１０の上部に配置された外部から操作可能な操作ボタン４及び画像形成装置１の動作状態等を表示する液晶表示部５と、例えばプリンタ筐体１０の前面に配置され、例えばデジタルスチルカメラやメモリーカード等の外部機器が接続されるコネクタ部７等を有している。プリンタ筐体１０の背面には、画像形成部２に搬送される記録紙（図示せず）がセットされる給紙トレイ１５が設けられており、画像形成部２の前面には、画像形成部２により画像が形成された記録紙が排出される排紙トレイ１６が設けられている。スキャナ部３の上部には、プリンタ筐体１０とは別体に構成されたスキャナ筐体１２の上面を覆うように、スキャナ筐体１２に対し開閉自在に原稿カバー１１が配設されている。また、スキャナ部３の上部には、原稿カバー１１上の原稿トレイ２５に載置された原稿を、スキャナ部３に読み取り可能に順次搬送する機能を有するオートドキュメントフィーダ（以下、ＡＤＦと称する）２０が配設されている。この画像形成装置１は、例えば、コネクタ部７等に接続された外部機器や、例えばプリンタ筐体１０の背部に設けられたコネクタを介して接続された外部のパーソナルコンピュータ等から入力された画像データ等や、スキャナ部３により読み取られた画像データ等を用いて、画像形成部２により記録紙に画像を形成する機能を有している。
【００１４】
画像形成部２は、いわゆるインクジェット方式により記録紙に画像を形成する。画像形成部２は、例えば、記録紙を給紙トレイ１５から一枚ずつプリンタ筐体１０の内部に給紙して、排紙トレイ１６上に排出するローラやローラを駆動するモータ等を有する記録紙搬送機構（図示せず）や、プリンタ筐体１０の内部に搬送された記録紙にインクを吐出するヘッドを搭載したキャリッジ２ａや、キャリッジ２ａを記録紙の搬送方向に略直交する方向に往復駆動させるモータ及び駆動ベルト（図示せず）等で構成されている。なお、画像形成部２は、例えば電子写真方式や熱転写方式等により記録紙に画像を形成するようなものであってもよい。
【００１５】
スキャナ部３は、いわゆるフラットベッド型のものであり、スキャナ筐体１２の上面に配置された略矩形形状の原稿台３ａと、その原稿台３ａの側方に、画像形成装置１の前後方向が長手方向となるように帯状に配置された透過窓３ｂとを有している。原稿台３ａ及び透過窓３ｂは、例えばガラス板により構成されている。スキャナ部３の原稿台３ａは、原稿カバー１１により覆われている。原稿カバー１１の上面は、ＡＤＦ２０により搬送される原稿が載置される原稿トレイ２５を兼ねており、原稿カバー１１上には、載置された原稿の原稿トレイ２５上での基準位置となるように、原稿カバー１１の背面側の部位に立設された基準部２６と、原稿トレイ２５上に載置される原稿の端部を基準部２６との間で挟むようにすることにより、原稿トレイ２５上で原稿を位置決めするガイド（位置決め部材）３０等が設けられている。ＡＤＦ２０は、原稿カバー１１の上部の側方に配置されており、その原稿搬送路カバー２２により覆われた内部に、原稿トレイ２５上の原稿を一枚ずつ給紙する給紙機構や、原稿を搬送するため搬送ローラ等が配置されている。ＡＤＦ２０には、ＡＤＦ２０により搬送されスキャナ部３により読み取られた原稿が排出される原稿排出トレイ２７が、原稿トレイ２５の上方に位置するように取り付けられている。このスキャナ部３では、原稿は、原稿トレイ２５からスキャナ筐体１２の側方に向け、ＡＤＦ３の内部に搬送され、ＡＤＦ３の内部から、原稿排出トレイ２７上に排出される。
【００１６】
スキャナ筐体１２の内部には、例えば、モータ（図示せず）と、モータにより駆動されるＣＩＳ（Contact Image Sensor）等で構成された、原稿を画像データとして読み取るための読取部（図示せず）が収納されている。スキャナ部３は、原稿台３ａに沿ってＣＩＳをスキャナ筐体１２の内部で移動させ、ＣＩＳにより原稿台３ａに載置された原稿を撮像し、その原稿を画像データとして読み取るように構成されている。また、スキャナ部３は、ＡＤＦ２０により原稿を搬送させながら、搬送される原稿の表面を透過窓３ｂを通してＣＩＳにより読み取ることにより、その原稿を画像データとして読み取るように構成されている。なお、スキャナ部３は、例えばＣＣＤ等の撮像素子を用いた読取部により原稿を読み取り可能に構成されていてもよい。
【００１７】
図２及び図３は、ガイド３０の原稿カバー１１への取り付け構造を示す。また、図４（ａ）、（ｂ）は、ガイド３０の構造を示す。本実施形態において、原稿カバー１１の上面の前端部近傍で略中央の部位には、ガイド３０が配置される窪み部１１ｂが形成されている。ガイド３０は、窪み部１１ｂに嵌め込まれ、その上面の高さが、原稿カバー１１の上面、すなわち原稿トレイ２５の高さと略同じになるように取り付けられている。ガイド３０は、図４（ａ）に示すように、原稿カバー１１上面から上方に突出するようなガイド突起３０ａを有しており、そのガイド突起３０ａと基準部２６とで原稿の搬送方向両側端部をガイドし、原稿を位置決め可能に構成されている。ガイド３０は、後述するように原稿カバー１１に対しスライド可能に配設されており、ガイド３０の原稿カバー１１に対する位置は、原稿トレイ２５に載置される原稿のサイズ（例えば、Ａ４サイズやレターサイズ等）に応じて変更することが可能で、ＡＤＦ２０が種々のサイズの原稿に対応可能になるように構成されている。すなわち、本実施形態において、ガイド３０の位置は、原稿トレイ２５上の原稿の搬送方向側端部の一方が基準部２６に当接するような状態で、その他方の側端部がガイド突起３０ａに沿うような位置になるように調節される。そして、それにより、原稿トレイ２５上に載置された原稿のＡＤＦ２０への搬送方向両側端部が位置決めされる。
【００１８】
原稿カバー１１の窪み部１１ｂには、図２及び図３に示すように、窪み部１１ｂの両側部近傍部位に前後方向が長手方向となるように、窪み部１１ｂの上面からさらに窪むように形成されたスライド溝１１ｃと、窪み部１１ｂのうち各スライド溝１１ｃよりもさらに側方に、スライド溝１１ｃと略並列に形成された略長穴形状の貫通溝１１ｄとが設けられている。そして、原稿カバー１１の窪み部１１ｂの下面には、各貫通溝１１ｄが下方に露出しないようにその貫通溝１１ｄを覆うような断面略Ｌ字形状のカバー突起が、各貫通溝１１ｄに沿って形成されている。カバー突起１１ｅは、原稿カバー１１に一体に形成されている。
【００１９】
ガイド３０の下面には、図４（ｂ）に示すように、スライド溝１１ｃに対応するように突設されたスライドボス３０ｂが形成されている。また、ガイド３０の両側部には、その先端部が貫通溝１１ｄに係合するように側方に突出する爪形状に形成された嵌入爪３０ｃが下方に突設されている。そして、ガイド３０の下面略中央部には、ガイド３０の中央部に向け斜め下方に向け延設され、その先端部が上方に向け変位可能に、上方に可撓性を有する板形状に形成された板ばね部（付勢部）３０ｄが、互いに向き合うように一対形成されている。板ばね部３０ｄは、例えば、自然状態でその先端部がスライドボス３０ｂと同程度だけ下方に突出するように形成されている。スライドボス３０ｂ、嵌入爪３０ｃ、及び板ばね部３０ｄは、ガイド３０に一体に形成されている。なお、板ばね部３０ｄの形状、数や突出方向はこれに限られるものではなく、例えば、先端部がガイド３０の側方に向くように形成されていてもよい。
【００２０】
図３に示すように、ガイド３０は、スライドボス３０ｂの先端部がスライド溝１１ｃに摺動可能に嵌まり込むような状態で、嵌入爪３０ｃが貫通溝１１ｄに係合されて、原稿カバー１１の窪み部１１ｂに装着される。すなわち、ガイド３０は、スライドボス３０ｂがスライド溝１１ｃに沿い、また、嵌入爪３０ｃが貫通溝１１ｄに沿い、窪み部１１ｂで前後方向にスライド可能に取り付けられる。ガイド３０がこのように取り付けられている状態では、板ばね部３０ｄの先端部が窪み部１１ｂの上面に当接し、板ばね部３０ｄが上方に撓んだ状態になる。すなわち、ガイド３０は、板ばね部３０ｄの復元力により上方に付勢された状態で配置されており、その力により、原稿カバー１１と接触している板ばね部３０ｄと窪み部１１ｂとの間、及び嵌入爪３０ｃと貫通溝１１ｄとの間の摩擦力が大きくなるように構成されている。そして、ガイド３０は、この摩擦力が大きいことにより、原稿カバー１１上でスライドしにくく、ユーザの操作に伴いその位置が変更される際以外には、位置がずれないように構成されている。
【００２１】
図５は、原稿カバー１１の下面側を示す。原稿カバー１１の下面には、原稿台３ａに対応する位置に、例えばスポンジ等からなる原稿パッド１４が取り付けられており、原稿台３ａ上に載置された原稿を原稿パッド１４により原稿台３ａに押し付けることができるように構成されている。原稿カバー１１の下面のうち、ガイド３０が取り付けられている部位、すなわち窪み部１１ｂの裏側に当たる部位は、図に示すように、スライド溝１１ｃが形成されていることにより下方に突出する部位とカバー突起１１ｅとがあるほかは略平坦な形状となっており、原稿カバー１１を開いたときにも見栄えが良くなるように構成されている。なお、スライド溝１１ｃ自体は貫通していないので、この部分からの原稿カバー１１の上面と下面との間で光漏れは生じない。また、貫通溝１１ｄの底部は、カバー突起１１ｅで覆われているため、この部分からの光漏れは、ほとんど生じない。
【００２２】
このように、本実施形態においては、ガイド３０をスライドしにくくするために板ばね部３０ｄを設けることにより、原稿カバー１１に付勢部材等を配設する必要がなく、部品点数が少なくなる。貫通溝１１ｄは、カバー突起１１ｅにより覆われており、また、付勢部材を配設するために原稿カバー１１に貫通孔を設ける必要がないので、カバー部材等を別途設けなくても、原稿カバー１１の上面と下面との間での光漏れを防止できると共に、原稿カバー１１の下面の見栄えを良くすることができる。従って、画像形成装置１を、部品点数を少なく、部品コストを低くし、容易に組み立て可能に構成することができ、画像形成装置１の製造コストを低減することができる。
【００２３】
なお、本発明は上記実施形態の構成に限定されるものではなく、発明の趣旨を変更しない範囲で適宜に種々の変形が可能である。例えば、ガイドは、板ばね部３０ｄの替わりに、ガイドと一体に例えば螺旋形状に形成され、原稿カバーの上面に当接して変形するような付勢部を有していてもよい。また、ガイドは、原稿の側端部ではなく、原稿の搬送方向後端部を位置決めするように、原稿のサイズに応じてスライド可能に配置されているものであってもよい。そしてまた、本発明は、画像形成機能を有さない、ＡＤＦを搭載したスキャナ装置にも適用可能なものである。すなわち、本発明においては、ガイドが原稿カバーに装着された状態で、付勢部の復元力によりガイドが上方に付勢されるようにスキャナ装置を構成することにより、原稿カバーの裏面の見栄えを向上させ、且つ、部品点数を少なくし、スキャナ装置の製造コストを低減することができる。
【図面の簡単な説明】
【００２４】
【図１】本発明の一実施形態に係る画像形成装置の一例を示す斜視図。
【図２】上記装置のガイドの取り付け構造を示す上面図。
【図３】上記ガイドの取り付け構造の側断面図。
【図４】（ａ）は上記ガイドの斜視図、（ｂ）は同ガイドを下方から見たときを示す斜視図。
【図５】上記装置の原稿カバーの下面を示す斜視図。
【図６】従来のスキャナ装置のガイドの取り付け構造を示す側断面図。
【符号の説明】
【００２５】
１  画像形成装置
２  画像形成部
３  スキャナ部（スキャナ装置）
３ａ  原稿台
１１  原稿カバー
１１ｄ  貫通溝
１１ｅ  カバー突起
１２  スキャナ筐体
２０  ＡＤＦ（オートドキュメントフィーダ）
３０  ガイド（位置決め部材）
３０ｃ  嵌入爪
３０ｄ  板ばね部（付勢部）
【図１】
2008160714.tif 000003
【図２】
2008160714.tif 000004
【図３】
2008160714.tif 000005
【図４】
2008160714.tif 000006
【図５】
2008160714.tif 000007
【図６】
2008160714.tif 000008